(57)【要約】【課題】本発明は、部品点数及び組立工数を削減することができてコストダウンが可能な光学部材駆動装置を提供すること。【解決手段】本発明の光学部材駆動装置は、導線を巻回したコイル１３と、このコイル１３に通電することにより矢印Ａの直線方向に往復移動可能な駆動マグネット７と、矢印Ａ方向の移動における駆動マグネット７の一端部側に配設した第１ヨーク８と他端部側に配設した第２ヨーク９と、コイル１３の外周を覆うカバー３とを備え、第１ヨーク８には、カバー３の開口部３ｂから外側に延びるアーム部８ａが一体形成され、アーム部８ａの先端部８ｂと所定の隙間を有して対向するセンサホルダ１４に、アーム部８ａの磁束の変化を検出可能な磁気センサを配設したので、従来技術で説明したセンサマグネットが不要になる。【選択図】        図１
2004361760.tif 000002
【特許請求の範囲】
【請求項１】
導線を巻回したコイルと、このコイルに通電することにより直線方向に往復移動可能な駆動マグネットと、前記直線方向の移動における前記駆動マグネットの一端部側に配設した第１ヨークと他端部側に配設した第２ヨークと、前記コイルの外周を覆うカバーとを備え、前記第１ヨークには、前記カバーの外側に延びるアーム部が一体形成され、前記アーム部の先端部と所定の隙間を有して対向する位置に、前記アーム部の磁束の変化を検出可能な磁気センサを配設したことを特徴とする光学部材駆動装置。
【請求項２】
前記駆動マグネット及び前記第１、第２ヨークは、前記カバー内部の空洞部に配設した支持棒に支持されると共に、前記駆動マグネットの前記移動方向における前記第１、第２ヨークの外側に、前記支持棒に対して往復移動自在の軸受け部材をそれぞれ配設したことを特徴とする請求項１記載の光学部材駆動装置。
【請求項３】
前記カバーは、磁性材料で形成されて前記コイルの外周部に配設されていることを特徴とする請求項１または２記載の光学部材駆動装置。
【発明の詳細な説明】
【０００１】
【発明の属する技術分野】
本発明は、光学部材駆動装置に係わり、デジタルムービーカメラあるいはデジタルスチルカメラ等におけるズームレンズのズーム調節、あるいはフォーカスレンズのフォーカス調節等を行うための光学部材駆動装置に関する。
【０００２】
【従来の技術】
従来、デジタルムービーカメラあるいはデジタルスチルカメラ等に用いられていた光学部材駆動装置を、例えば図３、図４に示すもので説明する。
従来の光学部材駆動装置２１は、図３に示すように、外周部がカバー２２ａで囲まれて内部に空洞部２２ｂが形成された円筒状のアクチュエータ２２が配設されている。
【０００３】
このアクチュエータ２２は、カバー２２ａの一部が図示縦長状に切り欠きされて開口部２２ｃが形成されている。
また、カバー２２ａの図示上下両端部には、空洞部２２ｂの上下を遮蔽する上側板２２ｄと下側板２２ｅとが固着されている。
また、上下側板２２ｄ、２２ｅの中心部には、支持棒２３の両端部が固着されて、空洞部２２ｂの中心部に支持棒２３が位置している。
前記支持棒２３には、円筒状のマグネット２４が図示上下方向にスライド自在に支持されている。
【０００４】
また、マグネット２４の上下両端部には、第１、第２ヨーク２５、２６が固着され、この第１、第２ヨーク２５、２６の外側には、第１、第２軸受け部材２７、２８が固着されている。
また、第１軸受け部材２７には、アクチュエータ２２の開口部２２ｃから外部に延びるアーム部２７ａが一体形成され、このアーム部２７ａの先端部には、センサ磁石２９が接着剤等で固着されている。
また、カバー２２ａの内周壁には、マグネット２４と所定の隙間を有して巻回されたコイル３０が密着して配設されている。
【０００５】
このような構成のアクチュエータ２２は、コイル３０に通電することによりコイル３０の電流とマグネット２４の磁束により、フレーミングの左手の法則による方向へ力が発生し、マグネット２４が支持棒２３に沿って図示上下にスライド可能になっている。
また、アーム部２７ａには、レンズ係合部（図示せず）が延長形成され、このレンズ係合部がデジタルムービーカメラあるいはデジタルスチルカメラ等（図示せず）のフォーカスレンズのフォーカス調節、あるいはズームレンズのズーム調節等が可能になっている。
【０００６】
また、従来の光学部材駆動装置２１は、カバー２２ａの外周部が接着剤等でセンサホルダー３１に固着され、このセンサホルダー３１には、センサ磁石２９と対向する位置に、ホール素子３２が配設されている。
そして、コイル３０に通電することにより、マグネット７と共に図示上下動するセンサ磁石２９の磁束の変化を、ホール素子３２が検出可能になっている。
そのために、フォーカス調節またはズーム調節を行う時のフォーカスレンズあるいはズームレンズの移動量を、ホール素子３２で検出可能になっている。
【０００７】
【特許文献１】
【０００８】
【発明が解決しようとする課題】
しかし、前述したような従来の光学駆動装置２１は、ホール素子３２と対向する側のアーム部２７ａに、永久磁石からなるセンサ磁石２９を位置調整し、接着剤等で固着していたので組立に時間が掛かる問題があった。
また、センサ磁石２９をアーム部２７ａに取り付けることにより、部品点数が多くなり、コストアップになる問題があった。また、接着の信頼性に関わる問題があった。
本発明は、前述したような課題に鑑みてなされたものであり、部品点数及び組立工数を削減することができてコストダウンが可能な光学部材駆動装置を提供することを目的とする。
【０００９】
【課題を解決するための手段】
前記課題を解決するための第１の解決手段として本発明の光学部材駆動装置は、導線を巻回したコイルと、このコイルに通電することにより直線方向に往復移動可能な駆動マグネットと、前記直線方向の移動における前記駆動マグネットの一端部側に配設した第１ヨークと他端部側に配設した第２ヨークと、前記コイルの外周を覆うカバーとを備え、前記第１ヨークには、前記カバーの外側に延びるアーム部が一体形成され、前記アーム部の先端部と所定の隙間を有して対向する位置に、前記アーム部の磁束の変化を検出可能な磁気センサを配設したことを特徴とする。
【００１０】
また、前記課題を解決するための第２の解決手段として、前記駆動マグネット及び前記第１、第２ヨークは、前記カバー内部の空洞部に配設した支持棒に支持されると共に、前記駆動マグネットの前記移動方向における前記第１、第２ヨークの外側に、前記支持棒に対して往復移動自在の軸受け部材をそれぞれ配設したことを特徴とする。
【００１１】
また、前記課題を解決するための第３の解決手段として、前記カバーは、磁性材料で形成されて前記コイルの外周部に配設されていることを特徴とする。
【００１２】
【発明の実施の形態】
以下、本発明に関する光学部材駆動装置の実施の形態を図１、図２に基づいて説明する。図１は本発明に関する光学部材駆動装置の斜視図であり、図２は本発明に係わるアークチュエータ内部を説明する斜視図である。
まず、本発明の光学部材駆動装置１は、図１に示すように、外形が円筒状のアクチュエータ２が配設されている。このアクチュエータ２の外周部は、鉄板等の磁性材料からなるカバー３で覆われて、内部に円柱状の空洞部３ａが形成されている。また、カバー３の一部には、図示上下方向に所定の幅寸法の開口部３ｂが形成され、この開口部３ｂによって、内部の空洞部３ａが部分的に開放されている。また、空洞部３ａは、図示上下両端部が、上側板４と下側板５とによって遮蔽されている。
【００１３】
また、上下側板４、５の中心部には、１本の支持棒６が挿通されて、その両端部が固着されている。また、空洞部３ａ内に位置する支持棒６には、図２に示すように、円筒状で永久磁石からなる駆動マグネット７が図示上下方向にスライド自在に支持されている。
前記駆動マグネット７の図示上下両端部には、駆動マグネット７の磁束漏れを小さくするための鉄等の磁性材料からなる第１、第２ヨーク８、９が固着されている。
前記第１ヨーク８には、カバー３の開口部３ａから外部に延びるアーム部８ａが一体形成され、このアーム部８ａの先端部８ｂが、略矩形状で平坦状に形成されている。そして、駆動マグネット７の磁束がアーム部８ａの先端部８ｂから出ている。
【００１４】
また、第１、第２ヨーク８、９の外側には、非磁性材料からなる第１、第２軸受け部材１０、１１が接着剤等で第１、第２ヨーク８、９固着されている。
そして、駆動マグネット７と、第１、第２ヨーク８、９と、第１、第２軸受け部材１０、１１とが一体化されて可動体１２となっている。
この可動体１２は、第１軸受け部材１０、１１が支持棒６に軸支されて、矢印Ａの直線方向に往復移動可能になっている。
また、アクチュエータ２のカバー３の内周壁には、導線を円筒状に巻回したコイル１３が接着剤等で固着されている。そして、コイル１３の中空部分に、支持棒６に支持した駆動マグネット７が位置して、コイル１３に所定の電力を通電することにより駆動マグネット７が矢印Ａの直線方向に往復移動可能になっている。
【００１５】
前記コイル１３を覆うカバー３は、鉄板等からなる磁性材料で形成されているので、駆動マグネット７のコイル１３に所定の電力を通電した時に発生する磁束が外部に漏れるのを極力小さくできるようになっている。
そのために、駆動マグネット７の磁束を効率よくコイル１３に鎖交させることができるため、可動体１２を確実に矢印Ａの直線方向に往復移動させることができるようになっている。
【００１６】
そして、例えばアーム部８ａに、後述するカメラ側の光学部材等の駆動負荷が加わったとしても、この駆動負荷に抗して可動体１２を確実に矢印Ａの直線方向に往復移動させることができる。
また、本発明の光学部材駆動装置１には、アクチュエータ２のカバー３の外周部を取付可能なセンサホルダ１４が配設されている。
前記センサホルダ１４には、図２に示すように、円弧状の取付面１４ａが形成され、この円弧状の取付面１４ａに、カバー３の外周面が接着剤等で固着されてアクチュエータ２が取り付けられている。
【００１７】
また、センサホルダ１４には、第１ヨーク８の先端部８ｂと対向する位置に、所定深さで矩形状のセンサ取付部１４ｂが形成されている。
そして、アーム部８ａの先端部８ｂと所定の隙間を有して対向する位置のセンサ取付部１３には、第１ヨーク８のアーム部８ａの磁束の変化を検出可能な、例えばホール素子からなる磁気センサ１５が取り付けられている。
【００１８】
前記磁気センサ１５には、図示を省略したＦＰＣ（フレキシブルプリント基板）が接続され、このＦＰＣが制御部（図示せず）に接続されて、磁気センサ１５が検出するアーム部８ａの磁束の変化に対応して、制御部がアーム部８ａの移動位置を検出可能になっている。
即ち、磁気センサ１５が検出するアーム部８ａの磁束の変化に対応して、矢印Ａ方向に移動する可動体１２を、所望の位置で停止させることができるようになっている。
また、可動体１２が移動することにより変化するアーム部８ａの磁束が、所定の値になった時点で、コイル１３への通電をストップさせて、アーム部８ａを所望の位置で停止させることもできるようになっている。
【００１９】
このような本発明の光学部材駆動装置１を、デジタルムービーカメラあるいはデジタルスチルカメラ等（図示せず）の光学機器に用いる場合には、第１ヨーク８のアーム部８ａに、カメラ側のフォーカスレンズあるいはズームレンズ等の光学部材（図示せず）に係合して駆動操作可能なレンズ係合部（図示せず）が一体形成されている。
そして、コイル１３に所定の電力を通電して可動体１２を矢印Ａの直線方向に移動操作することにより、レンズ係合部を係合させたフォーカスレンズあるいはズームレンズ等の光学部材を所望の位置まで移動させて操作可能になっている。
【００２０】
本発明の光学部材駆動装置１の動作を、例えばズームレンズを操作して所定のズーミングを行うもので説明すると、まず、カメラ操作者がカメラ側の操作ボタンを操作して、操作ボタンを所望のズーム倍率の位置にセットする。
すると、コイル１３に所定の電力が通電されて、可動体１２が矢印Ａの直線方向に移動すると共に、カメラ側の制御部から可動体１２を所望位置まで移動させた時のアーム部８ａの磁束の値が磁気センサ１５に出力される。
そして、アーム部８ａが移動して変化する磁束が、制御部から出力された磁束の値に合致すると、コイル１３への通電が停止して可動体１２の移動が停止する。
このことにより、カメラ側のズームレンズが所望のズーム倍率の位置に調節されて、被写体が所望のズーム倍率となり撮影を行うことができる。
【００２１】
尚、本発明では、磁気センサ１５をホール素子で説明したが、例えば磁気抵抗効果素子であるＭＲＥ（Ｍａｇｎｅｔ  Ｒｅｓｉｓｔｉｖｅ  Ｅｆｆｅｃｔ）素子を用いても良い。
また、本発明の光学部材駆動装置を、ズームレンズあるいはフォーカスレンズを駆動するもので説明したが、レンズの絞り羽根（図示せず）等の駆動に用いることも可能である。
【００２２】
【発明の効果】
以上説明したように、本発明に係わる第１ヨークには、カバーの外側に延びるアーム部が一体形成され、アーム部の先端部と所定の隙間を有して対向する位置に、アーム部の磁束の変化を検出可能な磁気センサを配設したので、従来のようなセンサ磁石が不要となり、部品点数を削減することができる。
そのために、組立が容易でコストダウンが可能な光学部材駆動装置を提供できる。
【００２３】
また、駆動マグネット及び第１、第２ヨークは、カバー内部の空洞部に配設した支持棒に支持されると共に、駆動マグネットの移動方向における第１、第２ヨークの外側に、支持棒に対して往復移動自在の軸受け部材をそれぞれ配設したので、軸受け部材を介して駆動マグネットが支持棒に支持されており、駆動マグネットを小さな駆動力で往復移動させることができる。
そのために、コイルへの通電が小電力でも、確実に駆動マグネットを駆動させることができ、低消費電力の光学部材駆動装置を提供できる。
【００２４】
また、カバーは、磁性材料で形成されてコイルの外周部に配設されているので、通電時に駆動マグネットの磁束の漏れを小さくすることができる。
そのために、コイルへの通電が小電力でも、駆動マグネットを大きな駆動力で駆動させることができ、フォーカスレンズあるいはズームレンズ等の光学部材を確実に駆動させて、最適なフォーカス調節あるいはズーム調節を行うことができる。
【図面の簡単な説明】
【図１】本発明に関する光学部材駆動装置の斜視図である。
【図２】本発明に係わるアクチュエータ内部の斜視図である。
【図３】従来の光学部材駆動装置の斜視図である。
【図４】従来のアクチュエータ内部の斜視図である。
【符号の説明】
１  本発明の光学部材駆動装置
２  アクチュエータ
３  カバー
３ａ  空洞部
３ｂ  開口部
４  上側板
５  下側板
６  支持棒
７  駆動マグネット
８  第１ヨーク
８ａ  アーム部
８ｂ  先端部
９  第２ヨーク
１０  第１軸受け部材
１１  第２軸受け部材
１２  可動体
１３  コイル
１４  センサホルダ
１４ａ  取付面
１４ｂ  センサ取付部
１５  磁気センサ
【図１】
2004361760.tif 000003
【図２】
2004361760.tif 000004
【図３】
2004361760.tif 000005
【図４】
2004361760.tif 000006